(57)【要約】      （修正有）【課題】装着時に皮膚炎等が発症し難いアクセサリを提供する。【解決手段】アクセサリ１０は貫通孔を設けた耳たぶに装着するピアスであり、耳たぶに当接する当接部２０と、装飾体３０とから構成されている。当接部２０を構成する材料の主成分は、合成樹脂材やセラミック材である。これらを主成分とする基材に対して、銀系無機抗菌剤等の抗菌剤を添加したものを当接部２０の材料として使用している。アクセサリ１０は、人体の一部が当接する当接部２０に対して、抗菌剤を添加した材料で成形することで、付着した雑菌等の繁殖を防ぐことができ、アクセサリ１０を装着した皮膚等に雑菌等に基づく炎症が発症し難くなる。【選択図】図１
0003229223.tif 000002
【実用新案登録請求の範囲】
【請求項１】
人体の一部に当接する当接部を有し、該当接部を構成する材料は、主成分である合成樹脂材又はセラミック材の基材に抗菌剤を添加したものであることを特徴とするアクセサリ。
【請求項２】
耳たぶに装着することを特徴とする請求項１に記載のアクセサリ。
【請求項３】
前記当接部は針状体と、貫通孔を有し、該貫通孔に前記針状体を挿入可能な係止片とから成ることを特徴とする請求項２に記載のアクセサリ。
【請求項４】
前記当接部は１対の当接片から成り、該１対の当接片を連結し、前記当接部と異なる材料から成る連結部を有することを特徴とする請求項１に記載のアクセサリ。
【請求項５】
前記当接部は１対の当接片と、該１対の当接片を連結する連結部とから成り、前記主成分は弾性を有する合成樹脂材から成ることを特徴とする請求項２に記載のアクセサリ。
【請求項６】
前記抗菌剤は無機系担体に抗菌性金属を担持させたものであることを特徴とする請求項１〜５の何れか１項に記載のアクセサリ。
【請求項７】
前記当接部と異なる材料から成る装飾体を有することを特徴とする請求項１〜６の何れか１項に記載のアクセサリ。
【考案の詳細な説明】
【技術分野】
【０００１】
本考案は、人体に装着するアクセサリに関するものである。
【背景技術】
【０００２】
金属アレルギー体質の者にとって、金属から成るアクセサリを人体に装着すると、皮膚に接触する金属が汗によって発錆し、アクセサリを装着した個所に皮膚炎や化膿症状を引き起こすことがある。
【０００３】
そこで、金属アレルギー体質による皮膚炎等の発生を防止するために、特許文献１に開示した皮膚に対してアレルギー反応が起き難い合成樹脂材を使用したアクセサリや、同様にアレルギー反応が発症し難いセラミック材を使用したアクセサリが広く使用されている。
【先行技術文献】
【特許文献】
【０００４】
【特許文献１】特開平７−２８９３１９号公報
【考案の概要】
【考案が解決しようとする課題】
【０００５】
しかし、アクセサリに付着している雑菌等によって、アクセサリと接触した個所に皮膚炎等が発生することについては、上述の合成樹脂材やセラミック材を使用したアクセサリでも十分に防ぐことができない。特に、針状体が耳たぶを貫通するピアスの場合には、アクセサリに付着している雑菌等により皮膚炎が発症し易い。
【０００６】
本考案の目的は、上述の問題を解消し、装着時に皮膚炎等が発症し難いアクセサリを提供することにある。
【課題を解決するための手段】
【０００７】
上記目的を達成するための本考案に係るアクセサリは、人体の一部に当接する当接部を有し、該当接部を構成する材料は、主成分である合成樹脂材又はセラミック材の基材に抗菌剤を添加したものであることを特徴とする。
【考案の効果】
【０００８】
本考案に係るアクセサリによれば、人体の一部が当接する当接部に対して、抗菌剤を添加した材料で成形することで、付着した雑菌等の繁殖を防ぎ、装着した皮膚等に雑菌等に基づく炎症が発症し難くなる。
【図面の簡単な説明】
【０００９】
【図１】第１の実施形態のアクセサリの斜視図である。
【図２】第２の実施形態のアクセサリの斜視図である。
【図３】図２のアクセサリを耳たぶに装着した際の側面図である。
【図４】第３の実施形態のアクセサリの斜視図である。
【考案を実施するための形態】
【００１０】
本考案を図示の実施例に基づいて詳細に説明する。
図１は第１の実施形態のアクセサリの斜視図である。アクセサリ１０は貫通孔を設けた耳たぶＭに装着するピアスであり、耳たぶＭに当接する当接部２０と、装飾体３０とから構成されている。
【００１１】
当接部２０を構成する材料の主成分は、合成樹脂材、例えばポリカーボネート材であり、或いはジルコニア質焼結体やアルミナ質焼結体等から成るセラミック材である。これらを主成分とする基材に対して抗菌剤を添加したものを当接部２０の材料として使用している。
【００１２】
抗菌剤は、例えば無機系担体に抗菌性金属である銀、亜鉛等を担持させたものを使用し、平均粒径が５〜１０μｍの銀系無機抗菌剤の粉末体を０．５％の添加率で、合成樹脂等の基材に添加することで当接部２０が形成されている。なお、抗菌剤は上述の銀系無機抗菌剤に限定されるものではなく、広く使用されている適宜の抗菌剤を適用することも可能である。
【００１３】
当接部２０は、耳たぶＭを貫通する針状体２０ａと、貫通孔２０ｂを中央に備え、この貫通孔２０ｂに針状体２０ａの一方の端部を挿入可能とした係止片２０ｃと、針状体２０ａの他方の端部と連結し、装飾体３０に取り付ける取付部２０ｄとから構成されている。
【００１４】
装飾体３０は当接部２０と異なる材料である各種の金属等から構成され、図示するハート型の平面体は１例であり、適宜の形状を採用することが可能である。
【００１５】
アクセサリ１０を装着する際は、先ず耳たぶＭに針状体２０ａを挿通させる。そして、耳たぶＭを貫通した針状体２０ａの一方の端部に、係止片２０ｃの貫通孔２０ｂを挿通させて、位置を調整して係止することでアクセサリ１０の装着は完了する。なお、貫通孔２０ｂの直径は、針状体２０ａの直径より若干小さいため、針状体２０ａに係止片２０ｃを係止した後に、係止片２０ｃが落下することはない。
【００１６】
図２は第２の実施形態であるアクセサリ１１の斜視図である。アクセサリ１１は耳たぶＭに装着するイヤリングであり、耳たぶＭに当接するばね状の当接部２１と、この当接部２１に取り付けた装飾体３１とから構成されている。
【００１７】
当接部２１は１対の当接片２１ａ、２１ｂと、これらの当接片２１ａ、２１ｂを連結する連結部２１ｃとから構成されている。当接部２１の材料の主成分は、弾性を有する合成樹脂材であり、前述の第１の実施形態のアクセサリ１１の当接部２１と同様に抗菌剤が添加されている。
【００１８】
また、装飾体３１は第１の実施形態の装飾体３０と同様に、当接部２１と異なる材料である各種の金属等から構成され、図示する星型の平面体は１例であり、適宜の形状を採用することが可能である。
【００１９】
図３は耳たぶＭにアクセサリ１１を装着した際の側面図である。耳たぶＭにより拡開された当接片２１ａ、２１ｂによる挟持力により、アクセサリ１１は耳たぶＭに保持されることになる。
【００２０】
図４は第３の実施形態であるアクセサリ１２の斜視図である。アクセサリ１２は耳たぶＭに装着するイヤリングであり、１対の当接片２２ａ、２２ｂから成る当接部２２と、装飾体３２と、１対の当接片２２ａ、２２ｂを連結し、装飾体３２が取り付けられた連結部４０とから構成されている。
【００２１】
当接部２２の材料の主成分は、前述の合成樹脂材等であり、第１の実施形態のアクセサリ１１の当接部２１と同様に抗菌剤が添加されている。
【００２２】
連結部４０は、当接部２２と異なる金属製等の材料から成形されており、当接片２２ｂと連結し、湾曲した湾曲部４１と、この湾曲部４１と軸部４２を介して連結した開閉部４３とから構成されている。
【００２３】
開閉部４３には図示しないばね体が内接しており、軸部４２を基点として、当接片２２ａ、２２ｂ間に所定の空隙を設けて、当接片２２ａが当接片２２ｂ側に付勢した状態で、閉止させることが可能である。
【００２４】
更に、開閉部４３の外側には、装飾体３２が取り付けられている。この装飾体３２は球体、例えば真珠を用いているが、適宜の形状、材質のものを採用することができる。
【００２５】
アクセサリ１２を耳たぶＭに装着する際は、先ず連結部４０の開閉部４３を指で摘んでばね体の付勢力に抗して開いた状態にした後に、耳たぶＭを当接片２２ａ、２２ｂで挟むようにして開閉部４３を閉止させる。
【００２６】
開閉部４３による付勢力により、当接片２２ａ、２２ｂが耳たぶＭを挟持することになり、アクセサリ１２が耳たぶＭからずれ落ちることはない。
【００２７】
このように、本考案に係るアクセサリ１０、１１、１２は、人体の一部が当接する当接部２０、２１、２２に対して、抗菌剤を添加した材料で成形することで、付着した雑菌等の繁殖を防ぐことが可能である。従って、アクセサリ１０、１１、１２を装着した皮膚等に、雑菌等に基づく炎症が発症し難くなる。
【００２８】
また、アクセサリ１０、１１、１２は、耳たぶＭに装着するピアス、イヤリングを用いて説明したが、人体の一部の装着する適宜のアクセサリ、例えば指輪、ネックレス等を用いることもできる。
【００２９】
また、アクセサリ１０、１１、１２の製造、使用、廃棄などによる環境への負荷が、他の同様のアクセサリと比較して相対的に少ないこと等を満たすようにして、アクセサリ１０、１１、１２に対して「エコマーク」（登録商標）を取得するようにしてもよい。
【符号の説明】
【００３０】
１０、１１、１２  アクセサリ
２０、２１、２２  当接部
２０ａ  針状体
２０ｂ  貫通孔
２０ｃ  係止片
２０ｄ  取付部
２１ａ、２１ｂ  当接片
２１ｃ、４０  連結部
２２ａ、２２ｂ  当接片
３０、３１、３２  装飾体
【図１】
0003229223.tif 000003
【図２】
0003229223.tif 000004
【図３】
0003229223.tif 000005
【図４】
0003229223.tif 000006